(57)【要約】【課題】字幕情報が映像に重ねて表示されるテレビジョン放送受信装置において、ユーザが関心の高い情報を見逃してしまう可能性を低減する。【解決手段】テレビジョン放送受信装置の制御部は、字幕情報機能がオンされていると判定した場合（Ｓ１でＹＥＳ）、字幕情報デコード部によって抽出される字幕情報データを取得し（Ｓ２）、ユーザによって指定文字と指定文字の変形態様が入力されているか否かを判定する（Ｓ３）。変形態様は、指定文字の大きさや色を変更して表示する態様を示すものであり、ユーザが複数の候補の中から選択する。指定文字と変形態様が入力されていると判定された場合（Ｓ３でＹＥＳ）、制御部は、取得した字幕情報データの中に指定文字があるか否かを判定し（Ｓ４）、字幕情報データ中に指定文字がある場合には（Ｓ４でＹＥＳ）、指定文字をユーザが選択した変形態様に応じて変形し（Ｓ５）、モニタ装置へ出力して表示する（Ｓ６）。【選択図】図２
2009105627.tif 000002
【特許請求の範囲】
【請求項１】
テレビジョン放送信号から字幕情報を抽出する字幕情報抽出手段と、
前記字幕情報抽出手段によって抽出された字幕情報を映像に重ねてモニタ装置に出力する字幕出力手段と、を備えるテレビジョン放送受信装置において、
ユーザが文字を選択するための文字選択手段と、
前記文字選択手段を用いてユーザが選択した文字を指定文字として記憶する指定文字記憶手段と、
ユーザが前記指定文字の変形態様を選択するための変形態様選択手段と、
前記変形態様選択手段によってユーザが選択した変形態様を記憶する変形態様記憶手段と、
前記字幕情報抽出手段によって抽出された字幕情報の中に、前記指定文字記憶手段に記憶された指定文字があるか否かを判定する指定文字有無判定手段と、
前記指定文字有無判定手段によって指定文字があると判定されたときに、指定文字を、前記変形態様記憶手段に記憶された変形態様に応じて変形して前記字幕出力手段に出力する変形手段と、を備えることを特徴とするテレビジョン放送受信装置。
【請求項２】
前記変形態様選択手段によって選択可能な変形態様は、少なくとも文字書体、文字の大きさ、及び文字色の変形を含むことを特徴とする請求項１に記載のテレビジョン放送受信装置。
【請求項３】
前記変形態様選択手段によって選択可能な変形態様は、前記指定文字の特定の形状への変形を含むことを特徴とする請求項１に記載のテレビジョン放送受信装置。
【発明の詳細な説明】
【技術分野】
【０００１】
本発明は、テレビジョン放送受信装置に関する。
【背景技術】
【０００２】
従来から、テレビジョン放送信号に含まれる字幕情報を抽出し、映像に重ねてモニタ画面に表示することができるテレビジョン放送受信装置が知られている（例えば、特許文献１、及び２参照）。
【０００３】
特許文献１に記載のテレビジョン放送受信装置は、テレビジョン放送信号に含まれる番組のジャンル情報を利用して、モニタ画面に表示される字幕の文字フォントが、番組のジャンルに最も適合するものに自動的に選択され、ユーザが番組を視聴するときの違和感を無くすように構成されている。
【０００４】
一方、字幕情報が記録された光ディスクを再生する光ディスク再生装置において、読取った字幕情報の中に予め定められた文字列が含まれる場合に、当該文字列を予め定められた他の文字列に置換えることによって、不適切な言葉が子供に見られないように構成したものが知られている（例えば、特許文献３参照）。
【特許文献１】特開２００２−２７１７１２号公報
【特許文献２】特開２００６−４１７４９号公報
【特許文献３】特開２００４−７３４４号公報
【発明の開示】
【発明が解決しようとする課題】
【０００５】
ところで、モニタ画面の映像に重ねて表示される字幕情報は、ユーザがモニタ画面の映像を見るときに邪魔にならないように、通常はモニタ画面の上辺、又は下辺に沿って比較的小さな文字で表示される。字幕情報は、元々、番組内容を理解し易くするための補助的なものであるので、モニタ画面に表示される字幕情報の文字列は上記のように目立たない一律の態様（文字の大きさ、色等が同じ）で表示される。
【０００６】
ところが、耳の不自由な人、又は難聴の人がユーザである場合には、番組の内容を理解するために字幕情報に多くを頼ることになるが、字幕情報は上記のように一律の目立たない態様であるので、上記のようなユーザが重要な情報を見逃す可能性がある。具体的には、例えば、気象に関する注意が報じられる場合に、音声上は、注意を呼掛けるアナウンサの声の大きさやトーンが変化したり、場合によっては電子音等が併用されるが、字幕情報上は、常に同一の態様で文字列が表示されるので、上記のようなユーザは、常に字幕情報を注視していなければ当該注意報を見逃してしまう可能性がある。
【０００７】
また、一般のユーザにとっても、ユーザ自身にとって関心の高い情報が番組放送内で報じられるときに、字幕情報は、ユーザの関心の有無に関係なく一律に同一の態様で表示されるので、ユーザの注意力が低下しているときには、音声、及び字幕情報の両方によっても気付くことがなく、その情報を知得する機会を逃してしまう可能性がある。
【０００８】
そこで、本発明は、テレビジョン放送信号に含まれる字幕情報を抽出し、映像に重ねてモニタ装置に出力することができるテレビジョン放送受信装置において、字幕情報中のユーザが指定した文字を、ユーザが選択した態様に変形させることによって視覚的に注意を喚起し、ユーザがユーザ自身にとって関心の高い情報を知得する機会を逃してしまう可能性を低減できるテレビジョン放送受信装置を提供することを目的とする。
【課題を解決するための手段】
【０００９】
上記目的を達成するために請求項１の発明は、テレビジョン放送信号から字幕情報を抽出する字幕情報抽出手段と、前記字幕情報抽出手段によって抽出された字幕情報を映像に重ねてモニタ装置に出力する字幕出力手段と、を備えるテレビジョン放送受信装置において、ユーザが文字を選択するための文字選択手段と、前記文字選択手段を用いてユーザが選択した文字を指定文字として記憶する指定文字記憶手段と、ユーザが前記指定文字の変形態様を選択するための変形態様選択手段と、前記変形態様選択手段によってユーザが選択した変形態様を記憶する変形態様記憶手段と、前記字幕情報抽出手段によって抽出された字幕情報の中に、前記指定文字記憶手段に記憶された指定文字があるか否かを判定する指定文字有無判定手段と、前記指定文字有無判定手段によって指定文字があると判定されたときに、指定文字を、前記変形態様記憶手段に記憶された変形態様に応じて変形して前記字幕出力手段に出力する変形手段と、を備えることを特徴とする。
【００１０】
請求項２の発明は、請求項１のテレビジョン放送受信装置において、前記変形態様選択手段によって選択可能な変形態様は、少なくとも文字書体、文字の大きさ、及び文字色の変形を含むことを特徴とする。
【００１１】
請求項３の発明は、請求項１のテレビジョン放送受信装置において、前記変形態様選択手段によって選択可能な変形態様は、前記指定文字の特定の形状への変形を含むことを特徴とする。
【発明の効果】
【００１２】
本発明によれば、字幕情報中にユーザが指定した文字があったときに、その文字がユーザが選択した態様に変形させられるので、ユーザは、視覚的に注意を喚起され、ユーザ自身にとって関心の高い情報を知得する機会を逃してしまう可能性を低減できる。
【発明を実施するための最良の形態】
【００１３】
本発明の一実施形態に係るテレビジョン放送受信装置について、図１乃至図６を参照して説明する。本実施形態のテレビジョン放送受信装置１（以下、ＴＶ装置という）は、アンテナ２を介してディジタルテレビジョン放送信号（以下、ＴＶ放送信号という）を受信し、受信したＴＶ放送信号に含まれる映像信号及び音声信号をモニタ装置３に出力すると共に、ＴＶ放送信号から字幕情報を抽出し、抽出した字幕情報を番組の映像に重ねてモニタ装置３に出力するディジタルテレビジョン放送受信装置である。
【００１４】
ＴＶ装置１は、チューナ部４と、デスクランブラ５と、ＴＳ（Ｔｒａｎｓｐｏｒｔ  Ｓｔｒｅａｍ）デコード部６と、映像・音声デコード部７と、字幕情報デコード部８（字幕情報抽出手段）と、オンスクリーンディスプレイ部９（字幕出力手段）と、リモコン１１（文字選択手段、変形態様選択手段）と、リモコン受信部１２と、制御部１３（文字選択手段、変形態様選択手段、指定文字有無判定手段、変形手段）と、メモリ１４（指定文字記憶手段、変形態様記憶手段）と、を備えている。
【００１５】
チューナ部４は、指定された周波数の信号を選局してＴＶ放送信号の復調、誤り訂正処理を行い、ＴＳパケットを出力する。デスクランブラ５は、ＴＳパケットに施されたスクランブル処理を解除する。ＴＳデコード部６は、多重化された信号から必要なＴＳパケットを分離し、ＴＶ装置１内の各ブロックへそれぞれ必要なＴＳパケットを供給する。
【００１６】
映像・音声デコード部７は、ＴＳデコード部６により分離された映像、音声ストリームの復号処理を行い、ＴＶ装置１に接続されたモニタ装置３にＯＳＤ部９を介して映像・音声信号を出力する。字幕情報デコード部８は、ＴＳデコード部６により分離された字幕情報を含むＴＳパケットの復号処理を行う。ＯＳＤ部９は、字幕情報デコード部８により抽出された字幕情報をテレビ番組の映像に重ねてモニタ装置３へ出力すると共に、制御部１３から出力されるメニュー画面の画像、及びユーザが指定文字と指定文字の変形態様を選択するときの後述する種々の画像をモニタ装置３へ出力する。
【００１７】
リモコン１１は、ユーザによって操作される数字キー１１ａ、十字キー１１ｂ、決定キー１１ｃ、メニューキー１１ｄ等を備えており、各キーの操作に応じた操作信号をリモコン受信部１２へ送信する。リモコン受信部１２は、リモコン１１からの操作信号を受信して制御部１３へ送信する。制御部１３は、マイクロプロセッサから構成され、ＴＶ装置１全体の制御を行うと共に、後述する字幕情報表示処理を実行する。
【００１８】
次に、制御部１３が実行する字幕情報表示処理手順について、図２乃至図５を参照して説明する。制御部１３は、まず字幕情報機能がオンになっているか否かを判定する（図２のＳ１）。字幕情報機能は、ユーザがリモコン１１のメニューキー１１ｄを操作することによってモニタ装置３にメニュー画面（不図示）を表示させた上で、十字キー１１ｂ、決定キー１１ｃを操作することによってオン・オフされる。ユーザが選択した結果（字幕情報機能がオンかオフか）はメモリ１４に記憶される。
【００１９】
字幕情報機能オンが選択されている場合には（Ｓ１でＹＥＳ）、制御部１３は、字幕情報デコード部８から字幕情報データを取得し（Ｓ２）、指定文字と、指定文字の変形態様がユーザによって入力されているか否かを判定する（Ｓ３）。なお、Ｓ２において取得される字幕情報データは、モニタ装置３に表示される１画面（１フレーム）分に相当する量のデータである。
【００２０】
ここで、ユーザによる指定文字の入力手順、及び指定文字の変形態様の入力手順の例について、図３、及び図４（ａ）乃至（ｄ）を参照して説明する。図３は、ユーザがリモコン１１のメニューキー１１ｄ、十字キー１１ｂ、及び決定キー１１ｃを所定の順序で操作したときにモニタ装置３の画面上に表示される指定文字選択用の画面Ｄ１を示す。ユーザは、指定文字選択用画面Ｄ１が表示されている状態で数字キー１１ａを操作してカタカナを入力する（この例では「オオサカ」）。入力されたカタカナは、１文字ずつ上段の入力枠Ｄ１ａに表示され、下段の候補文字枠Ｄ１ｂにカタカナの文字列に応じた漢字の候補文字が表示される。ユーザは、リモコン１１の十字キー１１ｂと決定キー１１ｃを操作して候補文字の中から指定すべき文字（又は、文字列）を選択し決定する（この例では「大阪」）。選択された文字Ｌは、メモリ１４に指定文字として記憶される。
【００２１】
図４（ａ）乃至（ｄ）は、ユーザがリモコン１１のメニューキー１１ｄ、十字キー１１ｂ、及び決定キー１１ｃを所定の順序で操作したときにモニタ装置３の画面上に表示される変形態様選択用の画面Ｄ２乃至Ｄ５を示す。具体的には、リモコン１１の操作によって、書体選択用の画面Ｄ２、文字大きさの選択用画面Ｄ３、文字色の選択用画面Ｄ４、及び背景色の選択用画面Ｄ５が順に表示される。ユーザは、各画面Ｄ２乃至Ｄ５が表示されている状態で十字キー１１ｂと決定キー１１ｃを操作して各画面Ｄ２乃至Ｄ５に表示されたリストの中から望ましい態様を選択し決定する。選択された変形態様は、メモリ１４に記憶される。
【００２２】
各画面Ｄ２乃至Ｄ５について説明すると、ユーザは、書体選択用の画面Ｄ２が表示されている状態でリモコン１１を操作してカーソルＫを移動させ、明朝体、ゴシック体等の書体リストの中から１つの書体を選択し（この例では明朝体）、文字大きさの選択用画面Ｄ３が表示されている状態で同じくリモコン１１を操作してカーソルＫを移動させ、文字の大きさのリストの中から１つの大きさを選択し（この例では１２ポイント）、文字色の選択用画面Ｄ４が表示されている状態でリモコン１１を操作してカーソルＫを移動させ、赤色、オレンジ色等の色リストの中から１つの文字色を選択し（この例では赤色）、背景色の選択用画面Ｄ５が表示されている状態でリモコン１１を操作してカーソルＫを移動させ、赤色、オレンジ色等の色リストの中から１つの背景色を選択する（この例では白色）。
【００２３】
以上のように、ユーザにより指定文字が選択され、指定文字の変形態様が選択されたか否かは、制御部１３が、メモリ１４内の所定領域に指定文字Ｌのデータ、及び変形態様のデータが記憶されているか否かを調べることによって判定することができ、Ｓ３において指定文字、及び変形態様の入力があると判定された場合に（Ｓ３でＹＥＳ）、制御部１３は、取得した字幕情報データの中に指定文字Ｌがあるか否かを判定する（Ｓ４）。
【００２４】
Ｓ４において字幕情報データの中に指定文字Ｌがあると判定された場合には（Ｓ４でＹＥＳ）、制御部１３は、字幕情報データ中の指定文字Ｌを、メモリ１４に記憶された変形態様に応じて変形し（Ｓ５）、ＯＳＤ部９を介してモニタ装置３へ出力し、映像と重ねて表示する（Ｓ６）。具体的には、例えば、受信中の番組が天気予報であって、Ｓ２で取得した字幕情報データが「大阪の天気予報です」であり、指定文字、及び変形態様が、それぞれ前述の通りの「大阪」、明朝体、１２ポイント、赤色、背景白色である場合、図５に示されるように、モニタ装置３の画面には、字幕情報中の「大阪」の文字のみが白色を背景にして１２ポイントに拡大した赤色の明朝体で強調して表示される。
【００２５】
Ｓ３において指定文字、及び変形態様の入力がなされていないと判定された場合（Ｓ３でＮＯ）、及びＳ４において字幕情報データの中に指定文字Ｌがないと判定された場合（Ｓ４でＮＯ）には、取得した字幕情報データがそのままＯＳＤ部９を介してモニタ装置３へ出力される。
【００２６】
上記Ｓ２からＳ６までの工程によってモニタ装置３の１画面（１フレーム）分の処理が終了するので、制御部１３は、字幕情報機能がユーザによってオフへ切替えられているか否かを判定し（Ｓ７）、オフへ切替えられていると判定したときには（Ｓ７でＹＥＳ）、字幕情報機能を終了し、オフへ切替えられていないと判定したときには（Ｓ７でＮＯ）、再びＳ２からＳ６の工程を繰り返し、次の１フレームについての字幕情報表示処理を実行する。
【００２７】
以上のように、本実施形態のＴＶ装置１では、ユーザがリモコン１１を操作して、モニタ装置３に指定文字選択用の画面Ｄ１、及び変形態様選択用の画面Ｄ２乃至Ｄ５を表示させ、さらにリモコン１１を操作して指定文字Ｌ、及び指定文字の変形態様を入力することによって、モニタ装置３に表示される字幕情報のうちユーザにとって関心が高い文字（指定文字Ｌ）が自動的に強調されて表示されるので、眠気等によってユーザの注意力が低下している場合であっても、ユーザは当該情報に気付きやすく、関心の高い情報を見逃すことが防止される。
【００２８】
なお、上記の例では、ユーザは、ユーザ自身の住居地である大阪の情報に関心が高く、指定文字Ｌとして地名を入力したが、指定文字Ｌは、例えば国名、人名等の他のジャンルのものであってもよいし、「警報」や「注意」等の概念を表わす文字であってもよい。例えば、「注意」の文字が指定文字Ｌとされた場合には、気象、防犯等に関する情報が番組中で報じられるときに、モニタ装置３に表示される字幕情報中の「注意」の文字が強調して表示され、ユーザが、気象、防犯等において注意が必要な情報に気付きやすくすることができる。
【００２９】
また、上記の例では、変形態様選択画面Ｄ２乃至Ｄ５によって選択される変形態様は、指定文字Ｌをベースにする変形態様であったが、指定文字Ｌを常に指定文字Ｌをベースとしない特定の形状に変形する変形態様が選択できるようにしてもよい。具体的には、ユーザによるリモコン１１の所定の操作によって、書体選択用の画面Ｄ２に代えて、図６に示された特定変形形状選択用の画面Ｄ６がモニタ装置３に表示され、ユーザがリモコン１１を操作することによって複数の特定形状（例えば、○、×、？、！等）のうちから１つの特定形状を選択できるように構成する。
【００３０】
この場合には、モニタ装置３に表示される字幕情報のうち、ユーザが指定した文字Ｌ（例えば、「注意」）が常に特定の形状（例えば、「！」）に変形されるので、字幕情報中の他の文字との違いが際立ち、ユーザが表示されている字幕情報によって強く注意を喚起されることになる。
【００３１】
さらに、上記の場合、ユーザが、子供にとって不適切な文字を指定文字Ｌに選択し、特定の形状を、その形状自体は意味を有しないもの（例えば、○、×等）の中から選択すれば、モニタ装置３に表示される字幕情報における指定文字Ｌが無意味な形状に変更されるので、子供に印象付けることが好ましくない文字が直接表示されないようにできるというメリットがある。
【図面の簡単な説明】
【００３２】
【図１】本発明の一実施形態に係るテレビジョン放送受信装置のブロック図。
【図２】同テレビジョン放送受信装置における字幕情報表示処理手順のフローチャート。
【図３】同テレビジョン放送受信装置においてモニタ装置に表示される指定文字選択用画面の例を示す図。
【図４】（ａ）は同テレビジョン放送受信装置においてモニタ装置に表示される書体選択用画面の例を示す図、（ｂ）は同テレビジョン放送受信装置においてモニタ装置に表示される文字大きさの選択用画面の例を示す図、（ｃ）は同テレビジョン放送受信装置においてモニタ装置に表示される文字色の選択用画面の例を示す図、（ｄ）は同テレビジョン放送受信装置においてモニタ装置に表示される背景色の選択用画面の例を示す図。
【図５】同テレビジョン放送受信装置においてモニタ装置に映像に重ねて表示される字幕情報の例を示す図。
【図６】同テレビジョン放送受信装置においてモニタ装置に表示される変形態様選択用画面の他の例を示す図。
【符号の説明】
【００３３】
１  テレビジョン放送受信装置
３  モニタ装置
８  字幕情報デコード部（字幕情報抽出手段）
９  オンスクリーンディスプレイ部（字幕出力手段）
１１  リモコン（文字選択手段、変形態様選択手段）
１３  制御部（文字選択手段、変形態様選択手段、指定文字有無判定手段、変形手段）
１４  メモリ（指定文字記憶手段、変形態様記憶手段）
Ｌ  指定文字
【図１】
2009105627.tif 000003
【図２】
2009105627.tif 000004
【図３】
2009105627.tif 000005
【図４】
2009105627.tif 000006
【図５】
2009105627.tif 000007
【図６】
2009105627.tif 000008